(57)【要約】【課題】配線部材による寸法の増加を抑えることができる電池モジュール及び電池パックを提供することを目的とする。【解決手段】エンドプレート１０１ａ、１０１ｂは、本体部１００ａの端子面１００ｅより底面１００ｆ側に形成された端子面側端面１０１ｃ、１０１ｄを有している。配線配置部１０７ａ、１０７ｂは、エンドプレート１０１ａ、１０１ｂが当接する本体部１００ａと、端子面側端面１０１ｃ、１０１ｄとによって形成される端子面側段差部１０７ｃ、１０７ｄである。拘束部材１０３ａ〜１０３ｃと交差する配線部材１０６ａ〜１０６ｃ、１０６ｅ〜１０６ｇは、配線配置部１０７ａ、１０７ｂに配置されている。そのため、配線部材１０６ａ〜１０６ｃ、１０６ｅ〜１０６ｇによる電池モジュール１０及び電池パックの寸法の増加を抑えることができる。【選択図】図５
2018073790.tif 000002
【特許請求の範囲】
【請求項１】
端子が設けられた本体部（１００ａ）の端子面（１００ｅ）と、前記端子面に背向する前記本体部の底面（１００ｆ）とを有し、前記端子面を同一方向に向けた状態で整列して配置される複数の電池セル（１００）と、
整列して配置された複数の前記電池セルの両端に前記本体部に当接するように配置され、複数の前記電池セルを挟持する一対のエンドプレート（１０１ａ、１０１ｂ）と、
前記端子面に対向し、一対の前記エンドプレートと交差するように配置され、一対の前記エンドプレートを拘束する拘束部材（１０３ａ〜１０３ｃ）と、
複数の前記電池セルの電圧を監視する電圧監視ユニット（１０５）と、
前記電圧監視ユニットを前記電池セルの端子に配線する、前記拘束部材と交差して配置される配線部材（１０６ａ〜１０６ｃ、１０６ｅ〜１０６ｇ）と、
前記拘束部材の前記端子面に対向する面と前記本体部の前記底面との間の領域内において、前記拘束部材と交差するように形成され、前記拘束部材と交差する前記配線部材が配置される配線配置部（１０７ａ、１０７ｂ）と、
を有する電池モジュール。
【請求項２】
前記配線配置部は、前記エンドプレートに形成、又は、前記エンドプレートが当接する前記本体部と前記エンドプレートとによって形成されている請求項１に記載の電池モジュール。
【請求項３】
前記エンドプレートは、前記端子面より前記底面側に形成された端子面側端面（１０１ｃ、１０１ｄ）を有し、
前記配線配置部は、前記エンドプレートが当接する前記本体部と前記端子面側端面とによって形成される端子面側段差部（１０７ｃ、１０７ｄ）である請求項２に記載の電池モジュール。
【請求項４】
前記エンドプレートは、
前記底面より前記端子面側に形成された底面側端面（１０１ｊ、１０１ｋ）と、
前記本体部側に、前記底面側端面から端子面側端面につながるように形成された溝部（１０１ｌ〜１０１ｎ、１０１ｏ〜１０１ｑ）と、
を有し、
前記配線配置部は、
前記エンドプレートが当接する前記本体部と前記底面側端面とによって形成される底面側段差部（１０７ｊ、１０７ｋ）と、
前記エンドプレートが当接する前記本体部と前記溝部とによって形成される孔部（１０７ｌ〜１０７ｎ、１０７ｏ〜１０７ｑ）と、
である請求項２に記載の電池モジュール。
【請求項５】
前記エンドプレートは、前記本体部側に、前記拘束部材と交差するとともに端子面側端面につながるように形成された溝部（１０１ｘ、１０１ｙ）を有し、
前記配線配置部は、前記エンドプレートが当接する前記本体部と前記溝部とによって形成される孔部（１０７ｘ、１０７ｙ）である請求項２に記載の電池モジュール。
【請求項６】
前記電池セルは、前記端子面に、内部で発生したガスを外部へ排出する排煙弁（１００ｄ）を有し、
前記拘束部材は、前記排煙弁に対向して配置され、前記排煙弁から排出されたガスが通る通路を構成している請求項１〜５のいずれか１項に記載の電池モジュール。
【請求項７】
前記拘束部材は、前記端子面に当接している請求項１〜６のいずれか１項に記載の電池モジュール。
【請求項８】
請求項１〜７のいずれか１項に記載の前記電池モジュールが、前記端子面を同一方向に向けた状態で複数整列して配置されて構成されている電池パック。
【請求項９】
整列して配置された複数の前記電池モジュールの両端の前記エンドプレートに当接するように配置され、複数の前記電池モジュールを挟持する一対の一括エンドプレート（１１０ａ、１１０ｂ）を有し、
前記拘束部材は、一対の前記一括エンドプレートに固定され、前記一括エンドプレートを拘束するとともに、拘束された前記一括エンドプレートによって、前記電池モジュールの前記エンドプレートをそれぞれ拘束する請求項８に記載の電池パック。 
【発明の詳細な説明】
【技術分野】
【０００１】
本発明は、整列して配置される複数の電池セルと、複数の電池セルを挟持するエンドプレートと、エンドプレートを拘束する拘束部材とを備えた電池モジュール、及び、この電池モジュールを複数整列して構成される電池パックに関する。
【背景技術】
【０００２】
従来、整列して配置される複数の電池セルと、複数の電池セルを挟持するエンドプレートと、エンドプレートを拘束する拘束部材とを備えた電池モジュールとして、例えば以下に示す特許文献１に開示されているバッテリモジュールがある。
【０００３】
このバッテリモジュールは、複数の２次電池と、一対のエンドプレートと、上部プレートと、下部プレートと、側面プレートとを備えている。ここで、２次電池が電池セルに相当する。また、上部プレート、下部プレート及び側面プレートが拘束プレートに相当する。
【０００４】
複数の２次電池は、本体部の上面に正極端子と負極端子が設けられている。複数の２次電池は、正極端子と負極端子が設けられた本体部の上面を上側に向けた状態で整列して配置されている。一対のエンドプレートは、整列して配置された複数の２次電池を挟持する部材である。一対のエンドプレートは、整列して配置された複数の２次電池の両端に配置されている。上部プレート、下部プレート及び側面プレートは、一方のエンドプレートから他方のエンドプレートにかけて延在し、エンドプレートを拘束する部材である。上部プレートは、正極端子と負極端子の間を本体部の上面に当接するように配置され、一対のエンドプレートにそれぞれ固定されている。下部プレートは、本体部の下面に当接するように配置され、一対のエンドプレートにそれぞれ固定されている。側面プレートは、本体部の側面に当接するように配置され、一対のエンドプレートにそれぞれ固定されている。
【先行技術文献】
【特許文献】
【０００５】
【特許文献１】特開２０１１−１０８６５３号公報
【発明の概要】
【発明が解決しようとする課題】
【０００６】
一般的に、バッテリモジュールは、複数の２次電池の電圧を監視する電圧監視ユニットと、複数の２次電池の正極端子と負極端子を電圧監視ユニットに配線する配線部材とを備えている。前述したように、正極端子と負極端子との間には、上部プレートが配置されている。そのため、例えば電圧監視ユニットを２次電池の本体部の側面側に配置した場合、配線部材の一部が上部プレートと交差するように配置されることになる。しかも、上部プレートは、本体部の上面に当接するように配置されている。そのため、上部プレートの上側を通るように配線部材を配置しなければならない。従って、バッテリモジュールの上下方向の寸法が大きくなってしまう。バッテリモジュールを複数整列して配置してバッテリパックを構成した場合、バッテリパックの上下方向の寸法が大きくなってしまう。
【０００７】
本発明は、このような事情に鑑みてなされたものであり、配線部材による寸法の増加を抑えることができる電池モジュール及び電池パックを提供することを目的とする。
【課題を解決するための手段】
【０００８】
上記課題を解決するためになされた電池モジュールは、端子が設けられた本体部の端子面と、端子面に背向する本体部の底面とを有し、端子面を同一方向に向けた状態で整列して配置される複数の電池セルと、整列して配置された複数の電池セルの両端に本体部に当接するように配置され、複数の電池セルを挟持する一対のエンドプレートと、端子面に対向し、一対のエンドプレートと交差するように配置され、一対のエンドプレートを拘束する拘束部材と、複数の電池セルの電圧を監視する電圧監視ユニットと、電圧監視ユニットを電池セルの端子に配線する、拘束部材と交差して配置される配線部材と、拘束部材の端子面に対向する面と本体部の底面との間の領域内において、拘束部材と交差するように形成され、拘束部材と交差する配線部材が配置される配線配置部と、を有する。
【０００９】
この構成によれば、電池モジュールは、拘束部材と交差する配線部材が配置される配線配置部を備えている。配線配置部は、拘束部材の端子面に対向する面と本体部の底面との間の領域内において、拘束部材と交差するように形成されている。そのため、拘束部材と交差する配線部材を、拘束部材の反本体部側を通るように配置する必要がない。従って、配線部材による電池モジュールの寸法の増加を抑えることができる。
【００１０】
上記課題を解決するためになされた電池パックは、電池モジュールが、端子面を同一方向に向けた状態で複数整列して配置されて構成されている。この構成によれば、配線部材による電池パックの寸法の増加を抑えることができる。
【図面の簡単な説明】
【００１１】
【図１】第１実施形態における電池パック斜視図である。
【図２】図１に示す電池モジュールの拘束部材、バスバー、配線部材がない状態における斜視図である。
【図３】図１に示す電池モジュールの拘束部材がない状態における斜視図である。
【図４】図１に示す電池モジュールの正面図である。
【図５】図１に示す電池モジュールの側面図である。
【図６】図１に示す電池モジュールの上面図である。
【図７】第１実施形態における電池パックの正面図である。
【図８】第１実施形態における電池パックの側面図である。
【図９】第１実施形態における電池パックの上面図である。
【図１０】サイドプレート、配線部材がない状態における図５に示す前側の端面側段差部周辺の拡大側面図である。
【図１１】サイドプレート、配線部材がない状態における図５に示す後側の端面側段差部周辺の拡大側面図である。
【図１２】第１実施形態の変形形態のサイドプレート、配線部材がない状態における前側の端子面側段差部周辺の拡大側面図である。
【図１３】第２実施形態における電池モジュールの正面図である。
【図１４】第２実施形態における電池モジュールの側面図である。
【図１５】第２実施形態における電池モジュールの上面図である。
【図１６】サイドプレート、配線部材がない状態における図１４に示す前側の底面側段差部周辺の拡大側面図である。
【図１７】サイドプレート、配線部材がない状態における図１４に示す後側の底面側段差部周辺の拡大側面図である。
【図１８】第２実施形態の変形形態のサイドプレート、配線部材がない状態における前側の底面側段差部周辺の拡大側面図である。
【図１９】第２実施形態の変形形態における前側の孔部周辺の拡大上面図である。
【図２０】第３実施形態における電池モジュールの正面図である。
【図２１】第３実施形態における電池モジュールの側面図である。
【図２２】第３実施形態における電池モジュールの上面図である。
【図２３】第３実施形態の変形形態サイドプレート、配線部材がない状態における前側の孔部周辺の拡大側面図である。
【図２４】第３実施形態の変形形態における前側の孔部周辺の拡大上面図である。
【発明を実施するための形態】
【００１２】
次に実施形態を挙げ、本発明をより詳しく説明する。本実施形態では、本発明に係る電池パックを車両に搭載される電池パックに適用した例を示す。
【００１３】
（第１実施形態）
まず、図１〜図１１を参照して第１実施形態の電池パックの構成について説明する。なお、図中における前後方向、左右方向及び上下方向は、方向を区別するために便宜的に記載したものである。
【００１４】
図１に示す電池パック１は、車両に搭載された電子装置等に直流を供給する、複数の電池モジュール１０を接続して構成された電池モジュール１０の集合体である。電池パック１は、６個の電池モジュール１０と、一対の一括エンドプレート１１０ａ、１１０ｂとを備えている。
【００１５】
図２及び図３に示すように、電池モジュール１０は、複数の電池セル１００を接続して構成された電池セル１００の集合体である。具体的には、並列接続された２個の電池セル１００を６組直列接続して構成される電池セル１００の集合体である。図２〜図９に示すように、電池モジュール１０は、１２個の電池セル１００と、一対のエンドプレート１０１ａ、１０１ｂと、一対のサイドプレート１０２ａ、１０２ｂと、拘束部材１０３ａ〜１０３ｃと、バスバー１０４ａ〜１０４ｇと、電圧監視ユニット１０５と、配線部材１０６ａ〜１０６ｇと、配線配置部１０７ａ、１０７ｂとを備えている。
【００１６】
電池セル１００は、充放電可能な２次電池である。電池セル１００は、本体部１００ａと、正極端子１００ｂと、負極端子１００ｃと、排煙弁１００ｄとを備えている。
【００１７】
本体部１００ａは、電池セル１００の本体を構成する直方体状の部位である。本体部１００ａは、長方形状の端子面１００ｅと、端子面１００ｅに背向する長方形状の底面１００ｆとを備えている。
【００１８】
正極端子１００ｂと負極端子１００ｃは、端子面１００ｅに、所定間隔をあけて設けられている。
【００１９】
排煙弁１００ｄは、異常時において、本体部１００ａの内部で発生したガスを、本体部１００ａの外部に排出するための周りより薄肉の部位である。排煙弁１００ｄは、端子面１００ｅの正極端子１００ｂと負極端子１００ｃとの間に設けられている。
【００２０】
電池セル１００は、端子面１００ｅを上側に向けるとともに、端子面１００ｅの短辺が前後方向、長辺が左右方向に向いた状態で、前後方向に４個が１列になるとともに、左右方向に３個が１列になるように整列して配置されている。それぞれの電池セル１００の端子面１００ｅ及び底面１００ｆが、上下方向で同一位置になるように配置されている。左右方向に並ぶ前側の２列の６個の電池セル１００は、正極端子１００ｂを左側、負極端子１００ｃを右側にして配置されている。左右方向に並ぶ後側の２列の６個の電池セル１００は、正極端子１００ｂを右側、負極端子１００ｃを左側にして配置されている。
【００２１】
エンドプレート１０１ａ、１０１ｂは、整列して配置された電池セル１００を前後方向から挟持する金属又は樹脂からなる板状の部材である。エンドプレート１０１ａ、１０１ｂは、整列して配置され電池セル１００の前後方向の両端の本体部１００ａに当接するように配置されている。エンドプレート１０１ａ、１０１ｂは、端子面側端面１０１ｃ、１０１ｄと、底面側端面１０１ｅ、１０１ｆとを備えている。端子面側端面１０１ｃ、１０１ｄは、端子面１００ｅと同一方向を向いた端面である。つまり、上側端面である。底面側端面１０１ｅ、１０１ｆは、底面１００ｆと同一方向を向いた端面である。つまり、下側端面である。端子面側端面１０１ｃ、１０１ｄは、左右方向全てにおいて、本体部１００ａの端子面１００ｅより底面１００ｆ側に形成されている。つまり、左右方向全てにおいて、本体部１００ａの端子面１００ｅより下側に形成されている。底面側端面１０１ｅ、１０１ｆは、左右方向全てにおいて、本体部１００ａの底面１００ｆと上下方向の同一位置に形成されている。
【００２２】
サイドプレート１０２ａ、１０２ｂは、整列して配置された電池セル１００の左右方向の両端に配置される金属又は樹脂からなる薄板状の部材である。サイドプレート１０２ａ、１０２ｂは、エンドプレート１０１ａ、１０１ｂによって挟持された、エンドプレート１０１ａ、１０１ｂを含む電池セル１００の側面形状と同一形状になるように形成されている。サイドプレート１０２ａ、１０２ｂは、エンドプレート１０１ａ、１０１ｂの左右方向の両端に固定されている。
【００２３】
拘束部材１０３ａ〜１０３ｃは、エンドプレート１０１ａ、１０１ｂを拘束する金属又は樹脂からなる中空の矩形棒状の部材である。また、排煙弁１００ｄから排出されたガスが通る通路を構成する部材でもある。拘束部材１０３ａ〜１０３ｃは、後述する一括エンドプレート１１０ａ、１１０ｂに固定され、一括エンドプレート１１０ａ、１１０ｂを介してエンドプレート１０１ａ、１０１ｂを拘束している。拘束部材１０３ａは、右端の電池セル１００の本体部１００ａの端子面１００ｅに対向した状態で当接し、前後方向に延在して、エンドプレート１０１ａ、１０１ｂと交差するように配置されている。拘束部材１０３ｂは、中央の電池セル１００の本体部１００ａの端子面１００ｅに対向した状態で当接し、前後方向に延在して、エンドプレート１０１ａ、１０１ｂと交差するように配置されている。拘束部材１０３ｃは、左端の電池セル１００の本体部１００ａの端子面１００ｅに対向した状態で当接し、前後方向に延在して、エンドプレート１０１ａ、１０１ｂと交差するように配置されている。拘束部材１０３ａ〜１０３ｃは、排煙弁１００ｄと対向して配置されている。拘束部材１０３ａ〜１０３ｃは、排煙弁１００ｄと対向する部分に、排煙弁１００ｄから排出されたガスを内部に導入するための開口部１０３ｄを有している。なお、図示は省略されているが、電池セル１００の本体部１００ａの底面１００ｆ側でも、金属又は樹脂からなる板状の拘束部材が、一括エンドプレート１１０ａ、１１０ｂに固定され、一括エンドプレート１１０ａ、１１０ｂを介してエンドプレート１０１ａ、１０１ｂを拘束している。
【００２４】
バスバー１０４ａ〜１０４ｇは、整列して配置された電池セル１００を接続するための金属からなる板状の部材である。バスバー１０４ａ、１０４ｇは、２個の電池セル１００を並列接続するための部材である。バスバー１０４ｃ〜１０４ｆは、２個の電池セル１００を並列接続するとともに、並列接続した２個の電池セル１００を２組直列接続するための部材である。バスバー１０４ａは、右端の前側２個の電池セル１００の負極端子１００ｃに接続されている。バスバー１０４ｂは、右端の前側２個の電池セル１００の正極端子１００ｂと、中央の前側２個の電池セル１００の負極端子１００ｃに接続されている。バスバー１０４ｃは、中央の前側２個の電池セル１００の正極端子１００ｂと、左端の前側２個の電池セル１００の負極端子１００ｃに接続されている。バスバー１０４ｄは、左端の前側２個の電池セル１００の正極端子１００ｂと、左端の後側２個の電池セル１００の負極端子１００ｃに接続されている。バスバー１０４ｅは、左端の後側２個の電池セル１００の正極端子１００ｂと、中央の後側２個の電池セル１００の負極端子１００ｃに接続されている。バスバー１０４ｆは、中央の後側２個の電池セル１００の正極端子１００ｂと、右端の後側２個の電池セル１００の負極端子１００ｃに接続されている。バスバー１０４ｇは、右端の後側２個の電池セル１００の正極端子１００ｂに接続されている。バスバー１０４ａは電池モジュール１０の負極端子を、バスバー１０４ｇは電池モジュール１０の正極端子を構成することになる。
【００２５】
電圧監視ユニット１０５は、電池モジュール１０を構成するそれぞれの電池セル１００の電圧を監視する装置である。電圧監視ユニット１０５は、左側面に設けられたサイドプレート１０２ａに固定されている。
【００２６】
配線部材１０６ａ〜１０６ｇは、バスバー１０４ａ〜１０４ｇを介して、電池セル１００の正極端子１００ｂ及び負極端子１００ｃを電圧監視ユニット１０５に配線する金属からなる棒状の部材である。配線部材１０６ａ〜１０６ｇは、端部を除いた外周面が絶縁部材で覆われている。配線部材１０６ａ〜１０６ｇの一端はバスバー１０４ａ〜１０４ｇに、他端は電圧監視ユニット１０５にそれぞれ接続されている。
【００２７】
配線配置部１０７ａ、１０７ｂは、配線部材１０６ａ〜１０６ｇのうち、拘束部材１０３ａ〜１０３ｃと交差する配線部材１０６ａ〜１０６ｃ、１０６ｅ〜１０６ｇが配置される部位である。配線配置部１０７ａ、１０７ｂは、拘束部材１０３ａ〜１０３ｃの端子面１００ｅ側の面と本体部１００ａの底面１００ｆとの間の領域内において、拘束部材１０３ａ〜１０３ｃと交差するように形成されている。図１０に示すように、配線配置部１０７ａは、エンドプレート１０１ａが当接する本体部１００ａと、エンドプレート１０１ａとによって形成されている。具体的には、エンドプレート１０１ａが当接する本体部１００ａと、エンドプレート１０１ａの端子面側端面１０１ｃとによって形成される端子面側段差部で１０７ｃある。図１１に示すように、配線配置部１０７ｂは、エンドプレート１０１ｂが当接する本体部１００ａと、エンドプレート１０１ｂとによって形成されている。具体的には、エンドプレート１０１ｂが当接する本体部１００ａと、エンドプレート１０１ｂの端子面側端面１０１ｄとによって形成される端子面側段差部で１０７ｄある。
【００２８】
図３〜図９に示すように、配線部材１０６ａ〜１０６ｃは、バスバー１０４ａ〜１０４ｃに接続される一端と、電圧監視ユニット１０５に接続される他端との間の中間部分が配線配置部１０７ａに配置されている。配線部材１０６ｅ〜１０６ｇは、バスバー１０４ｅ〜１０４ｇに接続される一端と、電圧監視ユニット１０５に接続される他端との間の中間部分が配線配置部１０７ｂに配置されている。
【００２９】
図１、図７〜図９に示す一括エンドプレート１１０ａ、１１０ｂは、整列して配置された電池モジュール１０を前後方向から挟持する金属又は樹脂からなる板状の部材である。図７〜図９に示すように、電池モジュール１０は、端子面１００ｅを上側に向けた状態で、前後方向に６個が１列になるように整列して配置されている。電池モジュール１０は、エンドプレート１０１ａを前側、エンドプレート１０１ｂを後側にして配置されている。一括エンドプレート１１０ａ、１１０ｂは、整列して配置され電池モジュール１０の前後方向の両端のエンドプレート１０１ａ、１０１ｂに当接するように配置されている。
【００３０】
拘束部材１０３ａ〜１０３ｃは、一括エンドプレート１１０ａ、１１０ｂに固定され、一括エンドプレート１１０ａ、１１０ｂを拘束している。その結果、拘束された一括エンドプレート１１０ａ、１１０ｂによって、電池パック１を構成する各電池モジュール１０のエンドプレート１０１ａ、１０１ｂがそれぞれ拘束されることになる。つまり、拘束部材１０３ａ〜１０３ｃは、一括エンドプレート１１０ａ、１１０ｂに固定され、一括エンドプレート１１０ａ、１１０ｂを拘束するとともに、拘束された一括エンドプレート１１０ａ、１１０ｂを介して、電池パック１を構成する各電池モジュール１０のエンドプレート１０１ａ、１０１ｂをそれぞれ拘束している。
【００３１】
次に、第１実施形態の電池パックの効果について説明する。
【００３２】
第１実施形態によれば、電池モジュール１０は、１２個の電池セル１００と、一対のエンドプレート１０１ａ、１０１ｂと、拘束部材１０３ａ〜１０３ｃと、電圧監視ユニット１０５と、配線部材１０６ａ〜１０６ｇとを備えている。電池セル１００は、端子が設けられた本体部１００ａの端子面１００ｅと、端子面１００ｅに背向する本体部１００ａの底面１００ｆとを有している。１２個の電池セル１００は、端子面１００ｅを上側に向けた状態で整列して配置されている。一対のエンドプレート１０１ａ、１０１ｂは、整列して配置された１２個の電池セル１００の両端に本体部１００ａに当接するように配置され、１２個の電池セル１００を挟持している。拘束部材１０３ａ〜１０３ｃは、端子面１００ｅに対向し、エンドプレート１０１ａ、１０１ｂと交差するように配置され、エンドプレート１０１ａ、１０１ｂを拘束している。電圧監視ユニット１０５は、１２個の電池セル１００の電圧を監視する。配線部材１０６ａ〜１０６ｇは、電圧監視ユニット１０５を１２個の電池セル１００の端子に配線する。これらのうち、配線部材１０６ａ〜１０６ｃ、１０６ｅ〜１０６ｇは、拘束部材１０３ａ〜１０３ｃと交差して配置されている。電池モジュール１０は、さらに、拘束部材１０３ａ〜１０３ｃと交差する配線部材１０６ａ〜１０６ｃ、１０６ｅ〜１０６ｇが配置される配線配置部１０７ａ、１０７ｂを備えている。配線配置部１０７ａ、１０７ｂは、拘束部材１０３ａ〜１０３ｃの端子面１００ｅ側の面と本体部１００ａの底面１００ｆとの間の領域内において、拘束部材１０３ａ〜１０３ｃと交差するように形成されている。そのため、拘束部材１０３ａ〜１０３ｃと交差する配線部材１０６ａ〜１０６ｃ、１０６ｅ〜１０６ｇを、拘束部材１０３ａ〜１０３ｃの上側を通るように配置する必要がない。従って、配線部材１０６ａ〜１０６ｃ、１０６ｅ〜１０６ｇによる電池モジュール１０の寸法の増加を抑えることができる。
【００３３】
第１実施形態によれば、配線配置部１０７ａ、１０７ｂは、エンドプレート１０１ａ、１０１ｂが当接する本体部１００ａと、エンドプレート１０１ａ、１０１ｂとによって形成されている。そのため、部品点数を増やすことなく配線配置部１０７ａ、１０７ｂを形成することができる。
【００３４】
第１実施形態によれば、エンドプレート１０１ａ、１０１ｂは、本体部１００ａの端子面１００ｅより底面１００ｆ側、つまり、端子面１００ｅより下側に形成された端子面側端面１０１ｃ、１０１ｄを有している。配線配置部１０７ａ、１０７ｂは、エンドプレート１０１ａ、１０１ｂが当接する本体部１００ａと、端子面側端面１０１ｃ、１０１ｄとによって形成される端子面側段差部１０７ｃ、１０７ｄである。そのため、部品点数を増やすことなく配線配置部１０７ａ、１０７ｂを確実に形成することができる。また、配線配置部１０７ａ、１０７ｂが正極端子１００ｂ及び負極端子１００ｃに近い上側部分に形成されているため、配線部材１０６ａ〜１０６ｃ、１０６ｅ〜１０６ｇの長さを短くすることができる。
【００３５】
第１実施形態によれば、電池セル１００は、本体部１００ａの端子面１００ｅに、内部で発生したガスを外部へ排出する排煙弁１００ｄを有している。拘束部材１０３ａ〜１０３ｃは、排煙弁１００ｄに対向して配置され、排煙弁１００ｄから排出されたガスが通る通路を構成している。そのため、排煙弁１００ｄから排出されたガスが通る通路を別途構成することなく、排出されたガスを確実に排出することができる。
【００３６】
第１実施形態によれば、拘束部材１０３ａ〜１０３ｃは、本体部１００ａの端子面１００ｅに当接している。そのため、電池モジュール１０の上下方向の寸法の増加をより抑えることができる。また、排煙弁１００ｄから排出されるガスを、拘束部材１０３ａ〜１０３ｃによって構成される通路に確実に導入することができる。
【００３７】
第１実施形態によれば、電池パック１は、本体部１００ａの端子面１００ｅを上側に向けた状態で整列して配置された６個の電池モジュール１０で構成されている。前述したように、電池モジュール１０は、配線部材による寸法の増加が抑えられている。そのため、電池パック１も、配線部材による電池パック１の寸法の増加を抑えることができる。
【００３８】
第１実施形態によれば、電池パック１は、整列して配置された６個の電池モジュール１０の両端のエンドプレート１０１ａ、１０１ｂに当接するように配置され、６個の電池モジュール１０を挟持する一対の一括エンドプレート１１０ａ、１１０ｂを有している。拘束部材１０３ａ〜１０３ｃは、一対の一括エンドプレート１１０ａ、１１０ｂに固定され、一括エンドプレート１１０ａ、１１０ｂを拘束するとともに、拘束された一括エンドプレート１１０ａ、１１０ｂを介して、電池モジュール１０のエンドプレート１０１ａ、１０１ｂをそれぞれ拘束している。そのため、拘束部材１０３ａ〜１０３ｃを電池モジュール１０のエンドプレート１０１ａ、１０１ｂに直接固定する場合に比べ、固定箇所を減らすことができる。従って、エンドプレート１０１ａ、１０１ｂにそれぞれ固定部を設ける必要がないため、製造コストを抑えることができる。また、電池パック１の組付け時間を削減することができる。
【００３９】
なお、第１実施形態では、配線配置部１０７ａ、１０７ｂが、エンドプレート１０１ａ、１０１ｂが当接する本体部１００ａと、端子面側端面１０１ｃ、１０１ｄとによって形成される端子面側段差部１０７ｃ、１０７ｄである例を挙げているが、これに限られるものではない。図１２に示すように、エンドプレート１０１ａの端子面側端部に、配線配置部１０７ａとして端子面側段差部１０１ｇを直接形成してもよい。配線配置部は、エンドプレートに形成されていてもよい。この場合、エンドプレート１０１ａだけで配線配置部１０７ａを形成することができる。
【００４０】
（第２実施形態）
次に、第２実施形態の電池パックについて説明する。第２実施形態の電池パックは、第１実施形態の電池パックに対して、電池モジュールの配線配置部の構成を変更したものである。配線配置部の変更に伴って、配線部材の形状を変更したものである。
【００４１】
第２実施形態の電池パックは、電池モジュールの配線配置部及び配線部材を除いて第１実施形態の電池パックと同一である。そのため、図１３〜図１７を参照して電池モジュールの配線配置部及び配線部材についてのみ説明し、他の部分については説明を省略する。なお、図中における前後方向、左右方向及び上下方向は、方向を区別するために便宜的に記載したものであり、第１実施形態と同じ方向を示すものである。また、第１実施形態と同一の構成要素は、同一の符号を付し説明を省略する。
【００４２】
図１３〜図１５に示すように、エンドプレート１０１ａ、１０１ｂは、端子面側端面１０１ｈ、１０１ｉと、底面側端面１０１ｊ、１０１ｋと、溝部１０１ｌ〜１０１ｎ、１０１ｏ〜１０１ｑとを備えている。端子面側端面１０１ｈ、１０１ｉは、左右方向全てにおいて、本体部１００ａの端子面１００ｅと上下方向の同一位置に形成されている。底面側端面１０１ｊ、１０１ｋは、左右方向全てにおいて、本体部１００ａの底面１００ｆより端子面１００ｅ側に形成されている。つまり、左右方向全てにおいて、本体部１００ａの底面１００ｆより上側に形成されている。溝部１０１ｌは、エンドプレート１０１ａのバスバー１０４ａ近傍の本体部１００ａ側に、底面側端面１０１ｊから端子面側端面１０１ｈにつながるように上下方向に形成されている。溝部１０１ｍは、エンドプレート１０１ａのバスバー１０４ｂ近傍の本体部１００ａ側に、底面側端面１０１ｊから端子面側端面１０１ｈにつながるように上下方向に形成されている。溝部１０１ｎは、エンドプレート１０１ａのバスバー１０４ｃ近傍の本体部１００ａ側に、底面側端面１０１ｊから端子面側端面１０１ｈにつながるように上下方向に形成されている。溝部１０１ｏは、エンドプレート１０１ｂのバスバー１０４ｅ近傍の本体部１００ａ側に、底面側端面１０１ｋから端子面側端面１０１ｉにつながるように上下方向に形成されている。溝部１０１ｐは、エンドプレート１０１ｂのバスバー１０４ｆ近傍の本体部１００ａ側に、底面側端面１０１ｋから端子面側端面１０１ｉにつながるように上下方向に形成されている。溝部１０１ｑは、エンドプレート１０１ｂのバスバー１０４ｇ近傍の本体部１００ａ側に、底面側端面１０１ｋから端子面側端面１０１ｉにつながるように上下方向に形成されている。
【００４３】
図１３〜図１６に示すように、配線配置部１０７ａは、エンドプレート１０１ａが当接する本体部１００ａと、エンドプレート１０１ａの底面側端面１０１ｊとによって形成される底面側段差部で１０７ｊと、エンドプレート１０１ａが当接する本体部１００ａと、溝部１０１ｌ〜１０１ｎとによって形成される孔部１０７ｌ〜１０７ｎである。図１４、図１５及び図１７に示すように、配線配置部１０７ｂは、エンドプレート１０１ｂが当接する本体部１００ａと、エンドプレート１０１ｂの底面側端面１０１ｋとによって形成される底面側段差部で１０７ｋと、エンドプレート１０１ｂが当接する本体部１００ａと、溝部１０１ｏ〜１０１ｒとによって形成される孔部１０７ｏ〜１０７ｒとである。
【００４４】
図１３〜図１５に示すように、配線部材１０６ａ〜１０６ｃは、バスバー１０４ａ〜１０４ｃに接続される一端と、電圧監視ユニット１０５に接続される他端との間の中間部分が配線配置部１０７ａに配置されている。配線部材１０６ｅ〜１０６ｇは、バスバー１０４ｅ〜１０４ｇに接続される一端と、電圧監視ユニット１０５に接続される他端との間の中間部分が配線配置部１０７ｂに配置されている。
【００４５】
具体的には、配線部材１０６ａは、バスバー１０４ａに接続される一端と、電圧監視ユニット１０５に接続される他端との間の中間部分が底面側段差部１０７ｊ及び孔部１０７ｌに配置されている。配線部材１０６ｂは、バスバー１０４ｂに接続される一端と、電圧監視ユニット１０５に接続される他端との間の中間部分が底面側段差部１０７ｊ及び孔部１０７ｍに配置されている。配線部材１０６ｃは、バスバー１０４ｃに接続される一端と、電圧監視ユニット１０５に接続される他端との間の中間部分が底面側段差部１０７ｊ及び孔部１０７ｎに配置されている。配線部材１０６ｅは、バスバー１０４ｅに接続される一端と、電圧監視ユニット１０５に接続される他端との間の中間部分が底面側段差部１０７ｋ及び孔部１０７ｏに配置されている。配線部材１０６ｆは、バスバー１０４ｆに接続される一端と、電圧監視ユニット１０５に接続される他端との間の中間部分が底面側段差部１０７ｋ及び孔部１０７ｐに配置されている。配線部材１０６ｇは、バスバー１０４ｇに接続される一端と、電圧監視ユニット１０５に接続される他端との間の中間部分が底面側段差部１０７ｋ及び孔部１０７ｑに配置されている。
【００４６】
次に、第２実施形態の電池パックの効果について説明する。
【００４７】
第２実施形態によれば、第１実施形態と同一構成を有することにより、その同一構成に対応した同様の効果を得ることができる。
【００４８】
第２実施形態によれば、エンドプレート１０１ａ、１０１ｂは、本体部１００ａの底面１００ｆより端子面１００ｅ側、つまり、底面１００ｆより上側に形成された底面側端面１０１ｊ、１０１ｋと、本体部１００ａ側に、底面側端面１０１ｊ、１０１ｋから端子面側端面１０１ｈ、１０１ｉにつながるように形成された溝部１０１ｌ〜１０１ｎ、１０１ｏ〜１０１ｑ）とを有している。配線配置部１０７ａ、１０７ｂは、エンドプレート１０１ａ、１０１ｂが当接する本体部１００ａと、底面側端面１０１ｊ、１０１ｋとによって形成される底面側段差部１０７ｊ、１０７ｋと、エンドプレート１０１ａ、１０１ｂが当接する本体部１００ａと、溝部１０１ｌ〜１０１ｎ、１０１ｏ〜１０１ｑとによって形成される孔部１０７ｌ〜１０７ｎ、１０７ｏ〜１０７ｑとである。そのため、部品点数を増やすことなく配線配置部１０７ａ、１０７ｂを確実に形成することができる。
【００４９】
なお、第２実施形態では、配線配置部１０７ａ、１０７ｂがエンドプレート１０１ａ、１０１ｂが当接する本体部１００ａと、エンドプレート１０１ａ、１０１ｂとによって形成されている底面側段差部１０７ｊ、１０７ｋを含んでいる例を挙げているが、これに限られるものではない。図１８に示すように、エンドプレート１０１ａの底面側端部に、配線配置部１０７ａの一部分として底面側段差部１０１ｒを直接形成してもよい。さらに、図１９に示すように、エンドプレート１０１ａの本体部１００ａに当接していない面に、配線配置部１０７ａの一部分として溝部１０１ｓを形成してもよい。配線配置部は、エンドプレートに形成されていてもよい。この場合、エンドプレート１０１ａだけで配線配置部１０７ａを形成することができる。
【００５０】
（第３実施形態）
次に、第３実施形態の電池パックについて説明する。第３実施形態の電池パックは、第１実施形態の電池パックに対して、電池モジュールの配線配置部の構成を変更したものである。配線配置部の変更に伴って、配線部材の形状を変更したものである。
【００５１】
第３実施形態の電池パックは、電池モジュールの配線配置部及び配線部材を除いて第１実施形態の電池パックと同一である。そのため、図２０〜図２２を参照して電池モジュールの配線配置部及び配線部材についてのみ説明し、他の部分については説明を省略する。なお、図中における前後方向、左右方向及び上下方向は、方向を区別するために便宜的に記載したものであり、第１実施形態と同じ方向を示すものである。また、第１実施形態と同一の構成要素は、同一の符号を付し説明を省略する。
【００５２】
図２０〜図２２に示すように、エンドプレート１０１ａ、１０１ｂは、端子面側端面１０１ｔ、１０１ｕと、底面側端面１０１ｖ、１０１ｗと、溝部１０１ｘ、１０１ｙとを備えている。端子面側端面１０１ｔ、１０１ｕは、左右方向全てにおいて、本体部１００ａの端子面１００ｅと上下方向の同一位置に形成されている。底面側端面１０１ｖ、１０１ｗは、左右方向全てにおいて、本体部１００ａの底面１００ｆと上下方向の同一位置に形成されている。溝部１０１ｘは、エンドプレート１０１ａの本体部１００ａ側に、拘束部材１０３ａ〜１０３ｃと交差するとともに端子面側端面１０１ｔにつながるように形成されている。溝部１０１ｙは、エンドプレート１０１ｂの本体部１００ａ側に、拘束部材１０３ａ〜１０３ｃと交差するとともに端子面側端面１０１ｕにつながるように形成されている。溝部１０１ｘは、エンドプレート１０１ａの電圧監視ユニット１０５近傍の左側端面からバスバー１０４ａ〜１０４ｃ近傍の端子面側端面１０１ｔにそれぞれつながるように形成されている。溝部１０１ｙは、エンドプレート１０１ｂの電圧監視ユニット１０５近傍の左側端面からバスバー１０４ｅ〜１０４ｇ近傍の端子面側端面１０１ｕにそれぞれつながるように形成されている。
【００５３】
配線配置部１０７ａは、エンドプレート１０１ａが当接する本体部１００ａと、溝部１０１ｘとによって形成される孔部１０７ｘである。配線配置部１０７ｂは、エンドプレート１０１ｂが当接する本体部１００ａと、溝部１０１ｙとによって形成される孔部１０７ｙである。
【００５４】
配線部材１０６ａ〜１０６ｃは、バスバー１０４ａ〜１０４ｃに接続される一端と、電圧監視ユニット１０５に接続される他端との間の中間部分が配線配置部１０７ａに配置されている。配線部材１０６ｅ〜１０６ｇは、バスバー１０４ｅ〜１０４ｇに接続される一端と、電圧監視ユニット１０５に接続される他端との間の中間部分が配線配置部１０７ｂに配置されている。
【００５５】
具体的には、配線部材１０６ａ〜１０６ｃは、バスバー１０４ａ〜１０４ｃに接続される一端と、電圧監視ユニット１０５に接続される他端との間の中間部分が孔部１０７ｘに配置されている。配線部材１０６ｅ〜１０６ｇは、バスバー１０４ｅ〜１０４ｇに接続される一端と、電圧監視ユニット１０５に接続される他端との間の中間部分が孔部１０７ｙに配置されている。
【００５６】
次に、第３実施形態の電池パックの効果について説明する。
【００５７】
第３実施形態によれば、第１実施形態と同一構成を有することにより、その同一構成に対応した同様の効果を得ることができる。
【００５８】
第３実施形態によれば、エンドプレート１０１ａ、１０１ｂは、本体部１００ａ側に、拘束部材１０３ａ〜１０３ｃと交差するとともに端子面側端面１０１ｔ、１０１ｕにつながるように形成された溝部１０１ｘ、１０１ｙを有している。配線配置部１０７ａ、１０７ｂは、エンドプレート１０１ａ、１０１ｂが当接する本体部１００ａと、溝部１０１ｘ、１０１ｙとによって形成される孔部１０７ｘ、１０７ｙである。そのため、部品点数を増やすことなく配線配置部１０７ａ、１０７ｂを確実に形成することができる。
【００５９】
なお、第３実施形態では、配線配置部１０７ａ、１０７ｂが、エンドプレート１０１ａ、１０１ｂが当接する本体部１００ａと、溝部１０１ｘ、１０１ｙとによって形成される孔部１０７ｖ、１０７ｗである例を挙げているが、これに限られるものではない。図２３及び図２４に示すように、エンドプレート１０１ａの本体部１００ａに当接していない面に、配線配置部１０７ａのとして溝部１０１ｚを形成してもよい。配線配置部は、エンドプレートに形成されていてもよい。この場合、エンドプレート１０１ａだけで配線配置部１０７ａを形成することができる。
【００６０】
また、第１〜第３実施形態では、電池モジュール１０が端子面１００ｅを上側に向けた状態で整列して配置される１２個の電池セル１００を有する例を挙げているが、これに限られるものではない。電池モジュールは、端子面を同一方向に向けた状態で整列して配置される複数の電池セルを有していればよい。
【００６１】
第１〜第３実施形態では、電池パック１が端子面１００ｅを上側に向けた状態で整列して配置される６個の電池モジュール１０を有する例を挙げているが、これに限られるものではない。電池パックは、端子面を同一方向に向けた状態で整列して配置される複数の電池モジュールを有していればよい。
【００６２】
第１〜第３実施形態では、拘束部材１０３ａ〜１０３ｃが一括エンドプレート１１０ａ、１１０ｂに固定され、拘束された一括エンドプレート１１０ａ、１１０ｂによって、電池パック１を構成する各電池モジュール１０のエンドプレート１０１ａ、１０１ｂをそれぞれ拘束する例を挙げているが、これに限られるものではない。拘束部材は、エンドプレート１０１ａ、１０１ｂに固定され、エンドプレート１０１ａ、１０１ｂを直接拘束してもよい。その際、配線配置部を遮らないようにエンドプレート１０１ａ、１０１ｂに固定されていればよい。
【００６３】
第１〜第３実施形態では電池パック１が電池モジュール１０を前後方向に整列して配置して構成されている例を挙げているが、これに限られるものではない。電池パックは、電池モジュール１０を上下方向に整列して配置して構成してもよい。配線部材１０６ａ〜１０６ｃ、１０６ｅ〜１０６ｇが拘束部材１０３ａ〜１０３ｃより下側に配置されているため、拘束部材１０３ａ〜１０３ｃの上側に電池モジュール１０を配置しても干渉することはない。
【符号の説明】
【００６４】
１・・・電池パック、１０・・・電池モジュール、１００・・・電池セル、１００ａ・・・本体部、１００ｄ・・・排煙弁、１００ｅ・・・端子面、１００ｆ・・・底面、１０１ａ、１０１ｂ・・・エンドプレート、１０１ｃ、１０１ｄ・・・端子面側端面、１０３ａ〜１０３ｃ・・・拘束部材、１０５・・・電圧監視ユニット、１０６ａ〜１０６ｇ・・・配線部材、１０７ａ、１０７ｂ・・・配線配置部、１０７ｃ、１０７ｄ・・・端子面側段差部、１１０ａ、１１０ｂ・・・一括エンドプレート
【図１】
2018073790.tif 000003
【図２】
2018073790.tif 000004
【図３】
2018073790.tif 000005
【図４】
2018073790.tif 000006
【図５】
2018073790.tif 000007
【図６】
2018073790.tif 000008
【図７】
2018073790.tif 000009
【図８】
2018073790.tif 000010
【図９】
2018073790.tif 000011
【図１０】
2018073790.tif 000012
【図１１】
2018073790.tif 000013
【図１２】
2018073790.tif 000014
【図１３】
2018073790.tif 000015
【図１４】
2018073790.tif 000016
【図１５】
2018073790.tif 000017
【図１６】
2018073790.tif 000018
【図１７】
2018073790.tif 000019
【図１８】
2018073790.tif 000020
【図１９】
2018073790.tif 000021
【図２０】
2018073790.tif 000022
【図２１】
2018073790.tif 000023
【図２２】
2018073790.tif 000024
【図２３】
2018073790.tif 000025
【図２４】
2018073790.tif 000026